(57)【要約】【課題】ピュアな純水を生成できるものとして洗顔、洗髪等の理美容分野、医療健康分野、飲食関係、その他、生活用水利用設備全般に亘って利用でき、しかも純水の質を低下させることなくこの状況を長く持続できるようにする。【解決手段】逆浸透膜７で原水通路８と純水通路９を仕切った構造の逆浸透膜式純水生成器５に対し一次側に原水通路８へ原水を供給する原水供給路１０が設けられ、二次側に原水通路８からの流出水を廃棄端２７へ導く廃棄原水取出路１６と純水通路９からの流出水を吐出栓４３へ導く純水取出路１５とが設けられ、更に純水生成器５の一次側に、原水通路８へ洗浄用純水を供給する洗浄水供給路１１と、純水通路９へ洗浄用純水を供給する洗浄用純水供給路１２とが設けられており、純水生成器５の二次側に、純水通路９から取り出された純水を廃棄端２７へ導く廃棄純水取出路１７が設けられた構成とした。【選択図】図１
2008073668.tif 000002
【特許請求の範囲】
【請求項１】
容器（６）内が逆浸透膜（７）で仕切られてこの逆浸透膜（７）の一方側に原水通路（８）が形成され他方側に純水通路（９）が形成されている構造の逆浸透膜式純水生成器（５）に対し、この純水生成器（５）の一次側には原水通路（８）へ原水を供給する原水供給路（１０）が設けられ、純水生成器（５）の二次側には原水通路（８）からの流出水を廃棄端（２７）へ導く廃棄原水取出路（１６）と、純水通路（９）からの流出水を吐出栓（４３）（５２）へ導く純水取出路（１５）とが設けられている生活用水製造装置であって、
上記純水生成器（５）の一次側には、原水供給路（１０）から原水通路（８）へ向けた原水の非供給時に限り原水通路（８）へ洗浄用純水の供給を可能にする洗浄水供給路（１１）と、原水供給路（１０）及び洗浄水供給路（１１）から原水通路（８）へ向けた原水の非供給時に限り純水通路（９）へ洗浄用純水の供給を可能にする洗浄用純水供給路（１２）とが設けられており、
純水生成器（５）の二次側には、純水通路（９）から取り出された純水を必要に応じて上記純水取出路（１５）の始端、途中又は終端から廃棄端（２７）へ導く廃棄純水取出路（１７）が設けられている
ことを特徴とする生活用水製造装置。
【請求項２】
前記純水生成器（５）は複数設けられており、各純水生成器（５）における原水通路（８）の一次側に接続される洗浄水供給路（１１）及び純水通路（９）の一次側に接続される洗浄用純水供給路（１２）に対して、他の純水生成器（５）における純水通路（９）の二次側に設けられる純水取出路（１５）が必要に応じて相互連通可能となる状態で配管接続されている
ことを特徴とする請求項１記載の生活用水製造装置。
【請求項３】
前記純水生成器（５）における純水通路（９）の二次側に設けられる純水取出路（１５）には、この経路中の純水を加熱して高温純水と低温純水として送出する加熱装置（４０）と、この加熱装置（４０）から送出される低温純水を殺菌処理する紫外線殺菌装置（３８）と、加熱装置（４０）から送出された高温純水及び紫外線殺菌装置（３８）で殺菌処理された低温純水を混合して吐出する混合水栓（４３）とを有していることを特徴とする請求項１又は請求項２記載の生活用水製造装置。
【請求項４】
前記純水生成器（５）における原水通路（８）の一次側に設けられた原水供給路（１０）には、不純物の除去を段階的に実行すべく一次前処理器（２２）と二次前処理器（２３）とが設けられていることを特徴とする請求項１乃至請求項３のいずれか１項に記載の生活用水製造装置。
【請求項５】
容器（６）内が逆浸透膜（７）で仕切られてこの逆浸透膜（７）の一方側に原水通路（８）が形成され他方側に純水通路（９）が形成された逆浸透膜式の第１純水生成器（５Ａ）及び第２純水生成器（５Ｂ）と、原水供給源（ＣＷ）側から吐出栓（４３）（５２）までの間で上記第１、第２の両純水生成器（５Ａ，５Ｂ）を接続配管する配管システム（３）と、この配管システム（３）内を必要に応じて切り替えて所定の経路構成とさせる経路制御部（６０）とを有しており、
上記配管システム（３）は、
第１、第２の各純水生成器（５Ａ，５Ｂ）の一次側において、それぞれの原水通路（８）へ原水を供給する第１、第２の原水供給路（１０Ａ，１０Ｂ）と、それぞれの原水通路（８）へ洗浄用純水を供給する第１、第２の洗浄水供給路（１１Ａ，１１Ｂ）と、それぞれの純水通路（９）へ洗浄用純水を供給する第１、第２の洗浄用純水供給路（１２Ａ，１２Ｂ）とを有していると共に、
第１、第２の各純水生成器（５Ａ，５Ｂ）の二次側において、それぞれの原水通路（８）からの流出水を廃棄端（２７）へ導く第１、第２の廃棄原水取出路（１６Ａ，１６Ｂ）と、それぞれの純水通路（９）からの流出水を吐出栓（４３）（５２）へ導く第１、第２の純水取出路（１５Ａ，１５Ｂ）と、それぞれの純水通路（９）から取り出された純水を廃棄端（２７）へ導く第１、第２の廃棄純水取出路（１７Ａ，１７Ｂ）とを有しており、
上記経路制御部（６０）は、
第１純水生成器（５Ａ）に対する原水通路洗浄モード及び純水通路洗浄モードを含む経路切替が可能になったもので、
原水通路洗浄モードでは、第１純水生成器（５Ａ）において第１原水供給路（１０Ａ）から原水通路（８）へ原水が供給されない状態を保持させたうえでこの第１純水生成器（５Ａ）の第１洗浄水供給路（１１Ａ）と第２純水生成器（５Ｂ）の第２純水取出路（１５Ｂ）とを連通させ且つ第２純水生成器（５Ｂ）の第２原水供給路（１０Ｂ）を開通させて第２純水生成器（５Ｂ）の原水通路（８）へ原水を供給させつつ第１純水生成器（５Ａ）の第１廃棄原水取出路（１６Ａ）及び第２純水生成器（５Ｂ）の第２廃棄原水取出路（１６Ｂ）のそれぞれから流出する流出水を廃棄端（２７）へ導くようにすることにより、第２純水生成器（５Ｂ）で生成される純水を第１純水生成器（５Ａ）の原水通路（８）へと供給し、当該第１純水生成器（５Ａ）の原水通路（８）から第１廃棄原水取出路（１６Ａ）を経て流出する純水を廃棄端（２７）へ導く経路構成とさせ、
純水通路洗浄モードでは、第１純水生成器（５Ａ）において第１原水供給路（１０Ａ）及び第１洗浄水供給路（１１Ａ）から原水通路（８）へ原水が供給されない状態を保持させたうえでこの第１純水生成器（５Ａ）の第１洗浄用純水供給路（１２Ａ）と第２純水生成器（５Ｂ）の第２純水取出路（１５Ｂ）とを連通させ且つ第２純水生成器（５Ｂ）の第２原水供給路（１０Ｂ）を開通させて第２純水生成器（５Ｂ）の原水通路（８）へ原水を供給させつつ第１純水生成器（５Ａ）の第１廃棄純水取出路（１７Ａ）及び第２純水生成器（５Ｂ）の第２廃棄原水取出路（１６Ｂ）のそれぞれから流出する流出水を廃棄端（２７）へ導くようにすることにより、第２純水生成器（５Ｂ）で生成される純水を第１純水生成器（５Ａ）の純水通路（９）へと供給し、当該第１純水生成器（５Ａ）の純水通路（９）から第１廃棄純水取出路（１７Ａ）を経て流出する純水を廃棄端（２７）へ導く経路構成とさせ
るようにプログラム制御可能とされていることを特徴とする生活用水製造装置。
【請求項６】
容器（６）内が逆浸透膜（７）で仕切られてこの逆浸透膜（７）の一方側に原水通路（８）が形成され他方側に純水通路（９）が形成された逆浸透膜式の第１純水生成器（５Ａ）及び第２純水生成器（５Ｂ）と、原水供給源（ＣＷ）側から吐出栓（４３）（５２）までの間で上記第１、第２の両純水生成器（５Ａ，５Ｂ）を接続配管する配管システム（３）と、この配管システム（３）内を必要に応じて切り替えて所定の経路構成とさせる経路制御部（６０）とを有しており、
上記配管システム（３）は、
第１、第２の各純水生成器（５Ａ，５Ｂ）の一次側において、それぞれの原水通路（８）へ原水を供給する第１、第２の原水供給路（１０Ａ，１０Ｂ）と、それぞれの原水通路（８）へ洗浄用純水を供給する第１、第２の洗浄水供給路（１１Ａ，１１Ｂ）と、それぞれの純水通路（９）へ洗浄用純水を供給する第１、第２の洗浄用純水供給路（１２Ａ，１２Ｂ）とを有していると共に、
第１、第２の各純水生成器（５Ａ，５Ｂ）の二次側において、それぞれの原水通路（８）からの流出水を廃棄端（２７）へ導く第１、第２の廃棄原水取出路（１６Ａ，１６Ｂ）と、それぞれの純水通路（９）からの流出水を吐出栓（４３）（５２）へ導く第１、第２の純水取出路（１５Ａ，１５Ｂ）と、それぞれの純水通路（９）から取り出された純水を廃棄端（２７）へ導く第１、第２の廃棄純水取出路（１７Ａ，１７Ｂ）とを有しており、
上記経路制御部（６０）は、
第２純水生成器（５Ｂ）に対する原水通路洗浄モード及び純水通路洗浄モードを含む経路切替が可能になったもので、
原水通路洗浄モードでは、第２純水生成器（５Ｂ）において第２原水供給路（１０Ｂ）から原水通路（８）へ原水が供給されない状態を保持させたうえでこの第２純水生成器（５Ｂ）の第２洗浄水供給路（１１Ｂ）と第１純水生成器（５Ａ）の第１純水取出路（１５Ａ）とを連通させ且つ第１純水生成器（５Ａ）の第１原水供給路（１０Ａ）を開通させて第１純水生成器（５Ａ）の原水通路（８）へ原水を供給させつつ第２純水生成器（５Ｂ）の第２廃棄原水取出路（１６Ｂ）及び第１純水生成器（５Ａ）の第１廃棄原水取出路（１６Ａ）のそれぞれから流出する流出水を廃棄端（２７）へ導くようにすることにより、第１純水生成器（５Ａ）で生成される純水を第２純水生成器（５Ｂ）の原水通路（８）へと供給し、当該第２純水生成器（５Ｂ）の原水通路（８）から第２廃棄原水取出路（１６Ｂ）を経て流出する純水を廃棄端（２７）へ導く経路構成とさせ、
純水通路洗浄モードでは、第２純水生成器（５Ｂ）において第２原水供給路（１０Ｂ）及び第２洗浄水供給路（１１Ｂ）から原水通路（８）へ原水が供給されない状態を保持させたうえでこの第２純水生成器（５Ｂ）の第２洗浄用純水供給路（１２Ｂ）と第１純水生成器（５Ａ）の第１純水取出路（１５Ａ）とを連通させ且つ第１純水生成器（５Ａ）の第１原水供給路（１０Ａ）を開通させて第１純水生成器（５Ａ）の原水通路（８）へ原水を供給させつつ第２純水生成器（５Ｂ）の第２廃棄純水取出路（１７Ｂ）及び第１純水生成器（５Ａ）の第１廃棄原水取出路（１６Ａ）のそれぞれから流出する流出水を廃棄端（２７）へ導くようにすることにより、第１純水生成器（５Ａ）で生成される純水を第２純水生成器（５Ｂ）の純水通路（９）へと供給し、当該第２純水生成器（５Ｂ）の純水通路（９）から第２廃棄純水取出路（１７Ｂ）を経て流出する純水を廃棄端（２７）へ導く経路構成とさせ
るようにプログラム制御可能とされていることを特徴とする生活用水製造装置。
【発明の詳細な説明】
【技術分野】
【０００１】
本発明は、理美容、健康、医療、飲食、その他、生活用水利用設備全般に使用される生活用水製造装置に関するものである。
【背景技術】
【０００２】
従来、例えば、洗顔や洗髪に際して、化粧品や化粧水、シャンプーやリンスに拘る人は多いが、水に拘る人は少ないのが実情である。
なお、従来、病院、実験室、飲食品加工業、調理場など衛生の確保が高度に要求される作業現場に設置される手洗い装置として、紫外線殺菌器とフィルターとを給水配管中に設置した殺菌水洗面化粧台が提案されている（例えば、特許文献１参照）。
【特許文献１】実開昭６１−９０４９０号公報
【発明の開示】
【発明が解決しようとする課題】
【０００３】
従来、洗顔や洗髪に使用している水の大半は、水道水又は井戸水である。前記特許文献１のものは、原水を紫外線殺菌器で殺菌し、フィルターで濾過して使用するようにしているが、純水に比較すれば、不純物が残留しているものと推定されるのみならず、温水として使用するようにしたものではない。
一方、純水は、水道水や井戸水とは違い、不純物（例えば、塩素、トリハロメタン、有機物、無機物、細菌類等）を殆ど含まないピュアな水のため、素肌に浸透し易く、馴染み易い性質を有している。
【０００４】
純水を使用した洗顔や洗髪は、従来使用している水道水や井戸水と比較すると、素肌に対して、遙かに浸透性が高く、老廃物（脂肪等）や汚れを落とす作用効果が優れている。
特に、純水を加熱して温水として使用することによって、洗顔や洗髪時に素肌に沈着している老廃物（脂肪等）を確実に浮かせ、より質の高い洗顔や洗髪を可能にする。
しかし、純水を作るためには、例えば、純水生成器を従来使用している洗面化粧台等に組み込む必要があり、その組み込みスペースとして、洗面化粧台等の下部スペースが想定されるが、この下部スペースでは、小型のものしか組み込めず、これでは、純水の生成能力が低く満足な洗顔や洗髪を行うことができないという問題がある。なお、純水を大量に生成できる能力のある大型の純水生成器を洗面化粧台等とは別設置することも考えられるが、その場合では、この装置の設置場所の確保が問題となり、取付施工性及び運搬・取扱性等にも問題がある。
【０００５】
本発明は、従来技術の上記問題点に鑑みて開発されたもので、不純物を含まないピュアな純水を生成できるものとして洗顔・洗髪等の理美容分野、医療健康分野、飲食関係、その他、生活用水利用設備全般に亘って利用でき、しかも純水の質を低下させることなくこの状況を長く持続できるようにした生活用水製造装置を提供することを目的とする。
また本発明は、必要に応じて適温に加熱した純水を製造できるようにした生活用水製造装置を提供することを目的とする。
【課題を解決するための手段】
【０００６】
前記目的を達成するために、本発明は次の手段を講じた。
即ち、本発明に係る生活用水製造装置は、容器内が逆浸透膜で仕切られてこの逆浸透膜の一方側に原水通路が形成され他方側に純水通路が形成されている構造の逆浸透膜式純水生成器を具備するものであって、この純水生成器の一次側には原水通路へ原水を供給する原水供給路が設けられ、純水生成器の二次側には原水通路からの流出水を廃棄端へ導く廃棄原水取出路と、純水通路からの流出水を吐出栓へ導く純水取出路とが設けられている。
そして、上記純水生成器の一次側には、原水供給路から原水通路へ向けた原水の非供給時に限り原水通路へ洗浄用純水の供給を可能にする洗浄水供給路と、原水供給路及び洗浄水供給路から原水通路へ向けた原水の非供給時に限り純水通路へ洗浄用純水の供給を可能にする洗浄用純水供給路とが設けられており、純水生成器の二次側には、純水通路から取り出された純水を必要に応じて上記純水取出路の始端、途中又は終端から廃棄端へ導く廃棄純水取出路が設けられている。
【０００７】
このような構成であると、不純物を含まないピュアな純水を生成できることになり、このピュアな純水を用いた洗顔・洗髪等の理美容分野、医療健康分野、飲食関係、その他、生活用水利用設備全般に亘って利用できるようになる。また、このような構成とすることで純水生成器内の洗浄が簡単に行えるものとなる。この場合の洗浄は、洗浄水供給路と洗浄用純水供給路とを有している関係から、これら各供給路を切り替えることによって逆浸透膜における原水通路側に向く面と純水通路側に向く面との各面を別々に洗浄できるものである。
【０００８】
すなわち、純水生成器に対し、洗浄水供給路から原水通路へ洗浄用純水を供給させることで原水通路内に充満する原水を純水生成器から追い出して原水通路内を純水で満たすようにする（原水通路内を純水に置換する）と共に、逆浸透膜において原水通路へ向く面を洗い流すことができる。
また、洗浄用純水供給路から純水通路へ洗浄用純水を供給させれば、逆浸透膜において純水通路へ向く面を洗い流すことができるだけでなく、この洗浄用純水が逆浸透膜を通過して原水通路へと染み出すようになる作用を利用して逆浸透膜の原水通路へ向く面に付着した不純物を原水通路へと追い出すことができるようになる。
【０００９】
このようにして、逆浸透膜はその両側の面から洗浄されることになり、綺麗な状態を維持できる。そのため、ピュアな純水を洗顔・洗髪等の理美容分野、医療健康分野、飲食関係、その他、生活用水利用設備全般に亘って利用する際、純水の質を低下させることなく長く持続できるようになる。
純水生成器は複数設けることができる。この場合、各純水生成器における原水通路の一次側に接続される洗浄水供給路、及び純水通路の一次側に接続される洗浄用純水供給路に対して、他の純水生成器における純水通路の二次側に設けられる純水取出路を、必要に応じて相互連通可能とする状態で配管接続する。
【００１０】
このように純水生成器を複数設けることによって十分な量の純水を連続して生成することができる。しかも、大容量の純水の生成を可能としつつこの生活用水製造装置をコンパクトに整列配置可能として設置場所の確保を容易化できる。
純水生成器における純水通路の二次側に設けられる純水取出路には、この経路中の純水を加熱して高温純水と低温純水として送出する加熱装置と、この加熱装置から送出される低温純水を殺菌処理する紫外線殺菌装置と、加熱装置から送出された高温純水及び紫外線殺菌装置で殺菌処理された低温純水を混合して吐出する混合水栓とを有したものとすることができる。
【００１１】
このようにすると、高温純水と低温純水とを各別に生成させることができ、これらを適温に混合して混合水栓から吐出させることができる。従って、細菌類等の不純物を全く含まない適温の純水を洗顔や洗髪等の理美容分野、医療健康分野、飲食関係、その他、生活用水利用設備全般に亘って利用することができる。
なお、紫外線殺菌装置を経た後の純水（例えば加熱装置内に滞留した純水）が配管経路内で長時間滞留されることによって細菌類で汚染されることがあったとしても、加熱装置で加熱殺菌されることになるため、吐出栓から吐出される純水はＴＤＳ（全溶存固形物量）値の悪化が防止される。
【００１２】
純水生成器における原水通路の一次側に設けられた原水供給路には、不純物の除去を段階的に実行すべく一次前処理器（例えばセディメントフィルタ）と二次前処理器（例えばプリカーボンフィルタ）とを設けるのが好ましい。
このようにすれば、一次前処理器及び二次前処理器で原水中に含まれる大部分の不純物が除去されるため、純水生成器の機能低下を防止して長期間にわたり良好な機能を発揮させることができ、しかも、一次前処理器及び二次前処理器を複数の純水生成器に対して兼用化させることができるため、生活用水製造装置全体としてのコンパクト化が可能となる。
【００１３】
本発明に係る生活用水製造装置は、次のように構成することもできる。
即ち、容器内が逆浸透膜で仕切られてこの逆浸透膜の一方側に原水通路が形成され他方側に純水通路が形成された逆浸透膜式の第１純水生成器及び第２純水生成器と、原水供給源側から吐出栓までの間で上記第１、第２の両純水生成器を接続配管する配管システムと、この配管システム内を必要に応じて切り替えて所定の経路構成とさせる経路制御部とを有したものとする。
上記配管システムは、第１、第２の各純水生成器の一次側において、それぞれの原水通路へ原水を供給する原水供給路と、それぞれの原水通路へ洗浄用純水を供給する洗浄水供給路と、それぞれの純水通路へ洗浄用純水を供給する洗浄用純水供給路とを有していると共に、第１、第２の各純水生成器の二次側において、それぞれの原水通路からの流出水を廃棄端へ導く廃棄原水取出路と、それぞれの純水通路からの流出水を吐出栓へ導く純水取出路と、それぞれの純水通路から取り出された純水を廃棄端へ導く廃棄純水取出路とを有したものである。
【００１４】
上記経路制御部は、［第１純水生成器に対する原水通路洗浄モード］及び［第１純水生成器に対する純水通路洗浄モード］を含む経路切替が可能になものである。
［第１純水生成器に対する原水通路洗浄モード］では、第１純水生成器において原水供給路から原水通路へ原水が供給されない状態を保持させたうえでこの第１純水生成器の洗浄水供給路と第２純水生成器の純水取出路とを連通させ且つ第２純水生成器の原水供給路を開通させて第２純水生成器の原水通路へ原水を供給させつつ廃棄原水取出路へ流出する流出水を廃棄端へ導くようにすることにより、第２純水生成器で生成される純水を第１純水生成器の原水通路へと供給し、当該第１純水生成器の原水通路から廃棄原水取出路を経て流出する純水を廃棄端へ導く経路構成とさせるべくプログラム制御される。
【００１５】
［第１純水生成器に対する純水通路洗浄モード］では、第１純水生成器において第１原水供給路及び第１洗浄水供給路から原水通路へ原水が供給されない状態を保持させたうえでこの第１純水生成器の第１洗浄用純水供給路と第２純水生成器の第２純水取出路とを連通させ且つ第２純水生成器の第２原水供給路を開通させて第２純水生成器の原水通路へ原水を供給させつつ第１純水生成器の第１廃棄純水取出路及び第２純水生成器の第２廃棄原水取出路のそれぞれから流出する流出水を廃棄端へ導くようにすることにより、第２純水生成器で生成される純水を第１純水生成器の純水通路へと供給し、当該第１純水生成器の純水通路から第１廃棄純水取出路を経て流出する純水を廃棄端へ導く経路構成とさせるべくプログラム制御される。
【００１６】
また上記経路制御部は、［第２純水生成器に対する原水通路洗浄モード］及び［第２純水生成器に対する純水通路洗浄モード］を含む経路切替が可能なものとすることもできる。
［第２純水生成器に対する原水通路洗浄モード］では、第２純水生成器において原水供給路から原水通路へ原水が供給されない状態を保持させたうえでこの第２純水生成器の洗浄水供給路と第１純水生成器の純水取出路とを連通させ且つ第１純水生成器の原水供給路を開通させて第１純水生成器の原水通路へ原水を供給させつつ廃棄原水取出路へ流出する流出水を廃棄端へ導くようにすることにより、第１純水生成器で生成される純水を第２純水生成器の原水通路へと供給し、当該第２純水生成器の原水通路から廃棄原水取出路を経て流出する純水を廃棄端へ導く経路構成とさせるべくプログラム制御される。
【００１７】
［第２純水生成器に対する純水通路洗浄モード］では、第２純水生成器において第２原水供給路及び第２洗浄水供給路から原水通路へ原水が供給されない状態を保持させたうえでこの第２純水生成器の第２洗浄用純水供給路と第１純水生成器の第１純水取出路とを連通させ且つ第１純水生成器の第１原水供給路を開通させて第１純水生成器の原水通路へ原水を供給させつつ第２純水生成器の第２廃棄純水取出路及び第１純水生成器の第１廃棄原水取出路のそれぞれから流出する流出水を廃棄端へ導くようにすることにより、第１純水生成器で生成される純水を第２純水生成器の純水通路へと供給し、当該第２純水生成器の純水通路から第２廃棄純水取出路を経て流出する純水を廃棄端へ導く経路構成とさせるべくプログラム制御される。
【００１８】
このように、一方の純水生成器で生成した純水を使って他方の純水生成器を洗浄するということを、それぞれの純水生成器で実施することにより、それぞれの純水生成器を清浄な状態（少なくとも一方の純水生成器ではピュアな純水の生成ができる状態）に保つことができる。勿論、両方の純水生成器間で、これらの洗浄を交代的に行えばよいものである。
【発明の効果】
【００１９】
本発明に係る生活用水製造装置では、不純物を含まないピュアな純水を生成できるものとして洗顔や洗髪等の理美容分野、医療健康分野、飲食関係、その他、生活用水利用設備全般に亘って利用でき、しかも純水の質を低下させることなくこの状況を長く持続できるようになる。また、必要に応じて適温に加熱した純水を製造することができる。
【発明を実施するための最良の形態】
【００２０】
以下、本発明の実施形態を図面に基づいて説明する。
図１乃至図１３は、本発明に係る生活用水製造装置１の一実施形態を示している。この生活用水製造装置１は、図５及び図６に示すように、例えば洗面化粧台２に対して装備される。
［純水生成器５］
この生活用水製造装置１は、図２乃至図４に示すような純水生成器５を具備している。この純水生成器５は逆浸透膜式を採用した、所謂、メンブレンフィルタであって、容器６内に逆浸透膜７が設けられ、この逆浸透膜７によって仕切られる一方側に原水通路８が形成され、他方側に純水通路９が形成されるようになっている。
【００２１】
本実施形態において容器６は円筒形に形成されていると共に、この容器６内の長手方向全長にわたり且つ同心配置となるように、一回り径小の円筒形を形成する状態で逆浸透膜７が収納されており、この逆浸透膜７の円筒形内部に形成される円形通路が純水通路９として使用され、円筒形外部に形成される円筒形通路が原水通路８として使用される。すなわち、純水通路９のまわりを原水通路８が全周的に取り囲むような状態となっている。
逆浸透膜７は、微細な不純物（例えば、塩素、細菌類、その他、０．０００１ミクロン以上の溶質）を濾過除去して純水を生成できるようにしたもので、膜両側が略同圧のときには、溶液の濃度差により、薄い側から濃い側へ溶媒が浸透して濃度が平衡するまで浸透現象が進行するが、濃い側の溶液を浸透圧以上に加圧したときには、逆浸透現象が起こる。すなわち、原水通路８に高濃度側として原水を通し、純水通路９に低濃度側として純水を通すように使用する場合、膜両側が略同圧のときに図４に示すように純水通路９側から原水通路８側へ向けた浸透現象が起こるものの、原水通路８側を浸透圧以上に加圧することで、図３に示すように、原水通路８側から純水通路９側へ向けた逆浸透現象が起こり、純水通路９内で純水を生成できることになる。
【００２２】
この純水生成器５の一次側には原水供給路１０と、洗浄水供給路１１と、洗浄用純水供給路１２とが設けられており、純水生成器５の二次側には純水取出路１５と、廃棄原水取出路１６と、廃棄純水取出路１７とが設けられている。
原水供給路１０は原水通路８へ原水を供給するためのものであり、洗浄水供給路１１は、原水供給路１０から原水通路８へ原水が供給されていないとき（非供給時）に限り原水通路８へ洗浄用純水を供給するためのものであり、洗浄用純水供給路１２は、原水供給路１０及び洗浄水供給路１１から原水通路８へ原水が供給されていないとき（非供給時）に限り、純水通路９へ洗浄用純水を供給するためのものである。
【００２３】
なお、原水供給路１０と洗浄水供給路１１とは、図例のように各独立した状態で純水生成器５に接続するようにしてもよいが、これに限定されるものではなく、途中で流路切替弁などを介して合流させた状態で、この流路切替弁と純水生成器５とを１本の配管経路として接続させるようにしてもよい。
純水取出路１５は純水通路９からの流出水を適宜の吐出栓へ導くためのものであり、廃棄原水取出路１６は原水通路８からの流出水を適宜の廃棄端へ導くためのものであり、廃棄純水取出路１７は純水通路９から取り出された純水を純水取出路１５の始端、途中又は終端から適宜の廃棄端へ導くためのものである。
［配管システム３］
図１は、本発明に係る生活用水製造装置１の配管図であって、この図１から明らかなように、本実施形態において上記した純水生成器５は複数（図例では２台）設けられ、これら各純水生成器５を所定配置で接続させるようにして配管システム３が構成されている。以下、一方の純水生成器５を「第１純水生成器５Ａ」と言い、他方の純水生成器５を「第２純水生成器５Ｂ」と言う。これら第１、第２の各純水生成器５Ａ，５Ｂには、純水生成能力が例えば４．７リットル毎分のものを採用することができる。
【００２４】
なお、配管システム３では、原水や純水などの流れを所定向きに規制するために各所に逆止弁が設けられているが、逆止弁を設けること自体はこの種の流体設備では各種機器への逆流や流体の混濁を防ぐための普通の技術であり、以下ではこれら逆止弁の位置付けを逐一説明しない。
また、この配管システム３では、必要に応じて所定の配管回路を構成させるため、電磁弁や電動弁などの遠隔操作可能な電気駆動型の開閉弁４を各所に配置してあり、これら各開閉弁４で流路切替を行うものとしているが、以下では説明の便宜上、１番開閉弁４ａ、２番開閉弁４ｂ、３番開閉弁４ｃ、・・・等と番号を付した名称とする。但し、これら各開閉弁４に付した番号はあくまでも説明の便宜上のもので、流れ順や配置順などとは無関係とする。
［原水供給路１０］
この生活用水製造装置１は、水道水や井戸水等の原水供給源ＣＷから１番開閉弁４ａ及び送水ポンプ２０を経た後、一次前処理器２２、二次前処理器２３を経、２番開閉弁４ｂ又は３番開閉弁４ｃを介して第１、第２の各純水生成器５Ａ，５Ｂが並列に接続されている。
【００２５】
一次前処理器２２は原水から粗大な不純物（６μｍ以上のほこりや砂、錆等の各種浮遊物質類）を除去するためのもので、例えばセディメントフィルタを採用することができる。また二次前処理器２３は、一次前処理器２２では十分に除去できないような微細な不純物（トリハロメタン等の各種有害成分）を濾過除去するためのもので、例えばプリカーボンフィルタを採用することができる。これら一次前処理器２２及び二次前処理器２３を設けることにより、第１、第２の各純水生成器５Ａ，５Ｂにおける純水生成機能を高精度化できる。
【００２６】
原水供給源ＣＷから２番開閉弁４ｂを経て第１純水生成器５Ａに至る間、及び原水供給源ＣＷから３番開閉弁４ｃを経て第２純水生成器５Ｂに至る間を接続しているのが、それぞれ原水供給路１０（図２参照）であって、第１、第２の各純水生成器５Ａ，５Ｂに対しては、それらの各原水通路８に対する一次側と接続されていることになる。以下、第１純水生成器５Ａ用の原水供給路１０を「第１原水供給路１０Ａ」と言い、第２純水生成器５Ｂ用の原水供給路１０を「第２原水供給路１０Ｂ」と言う。２番開閉弁４ｂと３番開閉弁４ｃのそれぞれの一次側が互いに連通接続されている。
［廃棄原水取出路１６］
第１純水生成器５Ａの二次側は、第１流量計２５から合流部２６を経て廃棄端２７へ至るように接続されており、第２純水生成器５Ｂの二次側は、第２流量計２８から合流部２６を経て廃棄端２７へ至るように接続されている。
【００２７】
第１純水生成器５Ａから合流部２６を経て廃棄端２７に至る間、及び第２純水生成器５Ｂから合流部２６を経て廃棄端２７へ至る間を接続しているのが、それぞれ廃棄原水取出路１６（図２参照）であって、第１、第２の各純水生成器５Ａ，５Ｂに対しては、それらの各原水通路８と連通接続されていることになる。以下、、第１純水生成器５Ａ用の廃棄原水取出路１６を「第１廃棄原水取出路１６Ａ」と言い、第２純水生成器５Ｂ用の廃棄原水取出路１６を「第２廃棄原水取出路１６Ｂ」と言う。
第１廃棄原水取出路１６Ａにおいて、第１純水生成器５Ａと第１流量計２５との中間部からは、分岐部３０を介して４番開閉弁４ｄへ至り、第１流量計２５をバイパスした状態で合流部２６乃至廃棄端２７へと至るように接続配管されている。同様に、第２廃棄原水取出路１６Ｂにおいても、第２純水生成器５Ｂと第２流量計２８との中間部から分岐部３１を介して５番開閉弁４ｅへ至り、第２流量計２８をバイパスした状態で合流部２６乃至廃棄端２７へと至るように接続配管されている。
【００２８】
要するに、４番開閉弁４ｄや５番開閉弁４ｅを開閉切替することで、廃棄端２７への排水状態を維持しつつ第１流量計２５や第２流量計２８による計測のオンオフを選択できるようになっている。
［純水取出路１５］
第１純水生成器５Ａの二次側は更に、上記第１廃棄原水取出路１６Ａとは別の接続経路により、６番開閉弁４ｆ、合流部３５、純水流量計３６、分配経路３７、紫外線殺菌装置３８、及び７番開閉弁４ｇを経るようにして加熱装置４０と接続されている。また、第２純水生成器５Ｂからは、上記第２廃棄原水取出路１６Ｂとは別の接続経路により、８番開閉弁４ｈを介して上記合流部３５と連通接続されており、結果としてこの第２純水生成器５Ｂも、純水流量計３６、分配経路３７、紫外線殺菌装置３８、７番開閉弁４ｇを経て加熱装置４０と接続されていることになる。
【００２９】
紫外線殺菌装置３８は、第１、第２の各純水生成器５Ａ，５Ｂから送り出される純水に紫外線を照射し、殺菌処理するためのものである。
加熱装置４０は、電熱ヒータ式又はガスヒータ式などの加熱手段を具備したものであって、第１、第２の各純水生成器５Ａ，５Ｂで生成された純水を必要に応じて加熱し、常温の純水とは別に適宜の設定温度（例えば７５℃程度の高温純水や５〜１５℃程度の低温純水等とする）に維持されるように電熱ヒータ又はガスヒータのＯＮ−ＯＦＦ制御をするようになっている。この加熱装置４０には、常温純水流出路４１と加熱純水流出路４２とが接続され、これらの先に吐出栓の一種である混合水栓４３が接続されている。
【００３０】
加熱装置４０は、１回の洗顔や洗髪に使用する容量の平均値（例えば２５リットル）以上の容量の貯湯タンクを具備させておくのが好適である。加熱純水流出路４２はこの貯湯タンクの上部から加熱後の純水を取り出せるように接続しておけばよい。
なお、加熱純水流出路４２は一般給湯管４４を介して、瞬間湯沸器やセントラル給湯設備などの外部給湯設備ＨＷと連通接続させておくこともできる。この場合、一般給湯管４４には、常時閉で必要時だけ開弁できるようにした切換弁４５を設置しておくのが好適となる。
【００３１】
混合水栓４３にはシャワーヘッド付きのものを採用してもよい。また、混合水栓４３を複数設けてしてもよい。
なお、７番開閉弁４ｇと加熱装置４０とを接続する配管途中に、混合水栓４３の止水時に起こる突発的な水圧上昇（ウオーターハンマー現象）等の衝撃を吸収緩和させるためのアキュームレータ４６を設けるのが好適である。また、加熱装置４０に対して原水供給源ＣＷから直接的に原水を取り入れられるようにする緊急時対策配管５０を設けておき、この緊急時対策配管５０に対して、常時閉とする緊急解放弁５１を設けておくことが推奨される。更に、原水供給源ＣＷから直接的に原水を吐出できるようにした一般的な吐出栓（単水栓）５２を接続するようにしてもよい。
【００３２】
上記したように、第１純水生成器５Ａから合流部３５や純水流量計３６、紫外線殺菌装置３８を経るようにして加熱装置４０に至る間、及び第２純水生成器５Ｂから合流部３５や純水流量計３６、紫外線殺菌装置３８を経るようにして加熱装置４０に至る間を接続しているのが、それぞれ純水取出路１５（図２参照）であって、第１、第２の各純水生成器５Ａ，５Ｂに対しては、それらの各純水通路９と連通接続されていることになる。以下、、第１純水生成器５Ａ用の純水取出路１５を「第１純水取出路１５Ａ」と言い、第２純水生成器５Ｂ用の純水取出路１５を「第２純水取出路１５Ｂ」と言う。
［洗浄用純水供給路１２］
第１純水取出路１５Ａにおいて、純水流量計３６を経た後に接続された分配経路３７には、その経路中に、９番開閉弁４ｉを介して第２純水生成器５Ｂの一次側へと至る接続配管部分がある。同様に、第２純水取出路１５Ｂにおいても、分配経路３７の経路中から１０番開閉弁４ｊを介して第１純水生成器５Ａの一次側へと至る接続配管部分がある。
【００３３】
第１純水生成器５Ａから合流部３５や純水流量計３６、９番開閉弁４ｉを経るようにして第２純水生成器５Ｂの一次側へ至る間、及び第２純水生成器５Ｂから合流部３５や純水流量計３６、１０番開閉弁４ｊを経るようにして第１純水生成器５Ａの一次側へ至る間を接続しているのが、それぞれ洗浄用純水供給路１２（図２参照）である。
すなわち、６番開閉弁４ｆ及び９番開閉弁４ｉを開弁させた状態にすれば、第１純水生成器５Ａの純水通路９と第２純水生成器５Ｂの純水通路９とがこの順番で連通するようになって、その結果、第１純水生成器５Ａで生成された純水を第２純水生成器５Ｂの純水通路９へと導くことができるようになる。以下ではこの接続配管部分を「第１洗浄用純水供給路１２Ａ」と言う。
【００３４】
また８番開閉弁４ｈ及び９番開閉弁４ｉを開弁させた状態にすれば、第２純水生成器５Ｂの純水通路９と第１純水生成器５Ａの純水通路９とがこの順番で連通するようになって、その結果、第２純水生成器５Ｂで生成された純水を第１純水生成器５Ａの純水通路９へと導くことができるようになっている。以下ではこの接続配管部分を「第２洗浄用純水供給路１２Ｂ」と言う。
［洗浄水供給路１１］
第１純水取出路１５Ａにおいて、純水流量計３６を経た後に接続された分配経路３７では、その経路中に、上記第１洗浄用純水供給路１２Ａとは別に、１１番開閉弁４ｋを介して第２純水生成器５Ｂの一次側へと至る接続配管部分がある。この接続配管部分は、第１洗浄用純水供給路１２Ａが第２純水生成器５Ｂの純水通路９に対して連通接続されていたのとは異なり、第２純水生成器５Ｂの原水通路８に対して連通接続されている。
【００３５】
同様に、第２純水取出路１５Ｂにおいても、上記第２洗浄用純水供給路１２Ｂとは別に、分配経路３７の経路中から１２番開閉弁４ｌを介して第１純水生成器５Ａの一次側へと至る接続配管部分があり、この接続配管部分は、第２洗浄用純水供給路１２Ｂが第１純水生成器５Ａの純水通路９に対して連通接続されていたのとは異なり、第１純水生成器５Ａの原水通路８に対して連通接続されている。
第１純水生成器５Ａから合流部３５や純水流量計３６、１１番開閉弁４ｋを経るようにして第２純水生成器５Ｂの一次側へ至る間、及び第２純水生成器５Ｂから合流部３５や純水流量計３６、１２番開閉弁４ｌを経るようにして第１純水生成器５Ａの一次側へ至る間を接続しているのが、それぞれ洗浄水供給路１１（図２参照）である。
【００３６】
すなわち、６番開閉弁４ｆ及び１１番開閉弁４ｋを開弁させた状態にすれば、第１純水生成器５Ａの純水通路９と第２純水生成器５Ｂの原水通路８とがこの順番で連通するようになって、その結果、第１純水生成器５Ａで生成された純水を第２純水生成器５Ｂの原水通路８へと導くことができるようになる。以下ではこの接続配管部分を「第１洗浄水供給路１１Ａ」と言う。
また８番開閉弁４ｈ及び１２番開閉弁４ｌを開弁させた状態にすれば、第２純水生成器５Ｂの純水通路９と第１純水生成器５Ａの原水通路８とがこの順番で連通するようになって、その結果、第２純水生成器５Ｂで生成された純水を第１純水生成器５Ａの原水通路８へと導くことができるようになっている。以下ではこの接続配管部分を「第２洗浄水供給路１１Ｂ」と言う。
［廃棄純水取出路１７］
更に、第１純水取出路１５Ａにおいて、第１純水生成器５Ａと６番開閉弁４ｆとの中間部からは、分岐部４８を介して１３番開閉弁４ｍへ至り、合流部２６を経て廃棄端２７へ至るように接続配管されている。同様に、第２純水取出路１５Ｂにおいても、第２純水生成器５Ｂと８番開閉弁４ｈとの中間部から分岐部４９を介して１４番開閉弁４ｎへ至り、合流部２６を経て廃棄端２７へ至るように接続配管されている。
【００３７】
第１純水生成器５Ａから分岐部４８や１３番開閉弁４ｍ、合流部２６を経るようにして廃棄端２７に至る間、及び第２純水生成器５Ｂから分岐部４９や１４番開閉弁４ｎ、合流部２６を経るようにして廃棄端２７へ至る間を接続しているのが、それぞれ廃棄純水取出路１７（図２参照）であって、第１、第２の各純水生成器５Ａ，５Ｂに対しては、それらの各純水通路９と連通接続されていることになる。以下、、第１純水生成器５Ａ用の廃棄純水取出路１７を「第１廃棄純水取出路１７Ａ」と言い、第２純水生成器５Ｂ用の廃棄純水取出路１７を「第２廃棄純水取出路１７Ｂ」と言う。
［経路制御部６０］
このような生活用水製造装置１には経路制御部６０が設けられている。この経路制御部６０は、第１純水生成器５Ａに対する原水通路洗浄モードと純水通路洗浄モード、及び第２純水生成器５Ｂに対する原水通路洗浄モードと純水通路洗浄モードとの、合計４モードを含む経路切替を可能にするためのものである。勿論、純水生成の運転モードや原水をそのまま吐出可能な状態とする運転停止モードなどにも対応可能にするとよい。
【００３８】
この経路制御部６０は、例えば、シーケンサやコンピュータ等によるタイムスケジュール、或いは人的なスイッチ操作に基づき、配管システム３の適所に配置した圧力センサや各流量計２５，２８，３６等からデータを取り込んで、各データを比較演算しつつ配管システム３内の各開閉弁４ａ〜４ｎ等を開閉動作させる、といった具合に圧力や流量、実質的な流れの有無等をファクターとする自動制御を実行させるものとすればよい。
［洗面化粧台２としての構成］
図５及び図６に示したように、洗面化粧台２は、洗面器６６と、この洗面器６６を所定高さに支持する下部キャビネット６８と、洗面器６６の奥部上方に起立姿勢で設けられる鏡体７０とを有し、洗面器６６まわりのカウンター６７上に混合水栓４３（場合によっては吐出栓５２やシャワーヘッド等を含む）が設置されたものとなっている。鏡体７０は、下部キャビネット６８に対して一体的に連結された構造としてもよいし、下部キャビネット６８とは連結せずに、下部キャビネット６８の設置位置に合わせて建物躯体の壁面などへ固定するようにしてもよい。
【００３９】
このような洗面化粧台２に対し、生活用水製造装置１は、洗面器６６の後部及び鏡体７０の裏部、並びに下部キャビネット６８の後部にわたるようにして扁平薄型（例えば７０〜１００ｍｍ程度の奥行き寸法）の収納枠６５を設けたうえで、この収納枠６５内に整列収納することができる。収納枠６５は、洗面化粧台２の高さ及び左右方向幅と同一とすると見栄えが良好になる。なお、収納枠６５は、建物躯体側の壁面等に埋め込むようにして設けてもよい。
生活用水製造装置１の加熱装置４０や送水ポンプ２０など、比較的大きく重量のあるものについては洗面器６６の後部やその下方となる下部キャビネット６８内へ収納配置するのが好適である。
【００４０】
殊に、送水ポンプ２０は電気機器であるために漏電対策が必要であり、その意味でも第１、第２の各純水生成器５Ａ，５Ｂによる結露環境から遠ざけた配置とすべきであって、洗面器６６の後部や下部キャビネット６８内への配置は好適と言える。
第１、第２の各純水生成器５Ａ，５Ｂは、容量を確保する必要から直径及び長さ的に所定のボリュウムを有したものになるため、鏡体７０の裏側となるように配置するのが好適である。これら第１、第２の各純水生成器５Ａ，５Ｂ相互間に、一次前処理器２２及び二次前処理器２３や、第１流量計２５、第２流量計２８、純水流量計３６、紫外線殺菌装置３８を配置させると全体としての収まりがよく、コンパクトなレイアウトにできる。
【００４１】
第１、第２の各純水生成器５Ａ，５Ｂをはじめ、一次前処理器２２、二次前処理器２３、第１流量計２５、第２流量計２８、純水流量計３６、紫外線殺菌装置３８は、いずれも内部に水を貯留する状態となるため、結露を起こし易く、その結露水が落下することを考慮する必要がある。そこで、これらよりも上方となるような位置付けで、複数の開閉弁４（４ａ〜４ｎ）を配置して水濡れから回避させるのが好適となる。尚、第１流量計２５、第２流量計２８、純水流量計３６は、電気式でも可能であって、この場合では、これらも水濡れから回避するために上位に配置すればよい。
【００４２】
加えて、収納スペース６５の上部側となる位置へ換気ファン７１を設けておき、収納スペース６５内の換気を良好にさせることが推奨される。
下部キャビネット６８の前面（扉７２等）には、コントロールパネル７３が設けられ、このコントロールパネル７３には自動運転用の各種設定スイッチや各モードの運転スイッチ、緊急停止用スイッチ、警報ランプなどが設けられている。また制御ボックス等も並設することができる。
［動作］
次に、生活用水製造装置１の動作について説明する。上記構成を具備した本実施形態の生活用水製造装置１では、図７に示すように６つの動作モードを実施できる。すなわち、［第１純水生成器５Ａによる純水生成モード］［第２純水生成器５Ｂによる純水生成モード］［第１純水生成器５Ａに対する原水通路洗浄モード］［第１純水生成器５Ａに対する純水通路洗浄モード］［第２純水生成器５Ｂに対する原水通路洗浄モード］［第２純水生成器５Ｂに対する純水通路洗浄モード］の６つの動作モードである。
【００４３】
なお、図７において、最上欄の１番、２番、３番、・・・の表記は、上記説明中で記載した開閉弁の便宜上の番号であり、これら各番号の下に括弧書きで付した表記は各開閉弁の符号である。また各モードの欄では、各開閉弁が開弁されていることを「開」と表記し、閉弁されていることを升目内に「×」を入れることで表記した。「開」を表記した升目内の右下に添え書きした小さな数字は、経路の順方向に沿った開閉弁の配置（並び）を理解し易くさせるための「参考順位」である。
［第１純水生成器５Ａによる純水生成モード］
第１純水生成器５Ａを使って混合水栓４３や吐出栓５２から純水を吐出させるには、図７及び図８に示すように、１番開閉弁４ａ、２番開閉弁４ｂ、６番開閉弁４ｆ、７番開閉弁４ｇの４つの開閉弁を開弁させ、その他の開閉弁は全て閉弁させる。
【００４４】
このようにすることで、原水供給源ＣＷ−１番開閉弁４ａ−送水ポンプ２０−一次前処理器２２−二次前処理器２３−２番開閉弁４ｂ−（第１原水供給路１０Ａ）−第１純水生成器５Ａの原水通路８〜純水通路９−（第１純水取出路１５Ａ）−６番開閉弁４ｆ−合流部３５−純水流量計３６−分配経路３７−紫外線殺菌装置３８−７番開閉弁４ｇ−加熱装置４０といった経路構成がなされ、加熱装置４０を単に通過して加熱されないままの純水が常温純水流出路４１へ供給されたり、加熱装置４０で高温又は低温に加熱された純水が加熱純水流出路４２へ供給されたりする状況が整う。
【００４５】
この状況下で混合水栓４３を操作することで、所望する温度の純水を得ることができる。また吐出栓５２を操作することで常温の純水を得ることができる。
なお、第１純水生成器５Ａからは、原水通路８−第１廃棄原水取出路１６Ａ−分岐部３０−第１流量計２５−合流部２６−廃棄端２７といった経路構成もなされているので、第１純水生成器５Ａの原水通路８を通過した余剰の原水は廃棄される。
［第２純水生成器５Ｂによる純水生成モード］
第２純水生成器５Ｂを使って混合水栓４３や吐出栓５２から純水を吐出させるには、図７及び図９に示すように、１番開閉弁４ａ、３番開閉弁４ｃ、８番開閉弁４ｈ、７番開閉弁４ｇの４つの開閉弁を開弁させ、その他の開閉弁は全て閉弁させる。
【００４６】
このようにすることで、原水供給源ＣＷ−１番開閉弁４ａ−送水ポンプ２０−一次前処理器２２−二次前処理器２３−３番開閉弁４ｃ−（第２原水供給路１０Ｂ）−第２純水生成器５Ｂの原水通路８〜純水通路９−（第２純水取出路１５Ｂ）−８番開閉弁４ｈ−合流部３５−純水流量計３６−分配経路３７−紫外線殺菌装置３８−７番開閉弁４ｇ−加熱装置４０といった経路構成がなされ、加熱装置４０を単に通過して加熱されないままの純水が常温純水流出路４１へ供給されたり、加熱装置４０で高温又は低温に加熱された純水が加熱純水流出路４２へ供給されたりする状況が整う。
【００４７】
この状況下で混合水栓４３を操作することで、所望する温度の純水を得ることができる。また吐出栓５２を操作することで常温の純水を得ることができる。
なお、第２純水生成器５Ｂからは、原水通路８−第２廃棄原水取出路１６Ｂ−分岐部３１−第２流量計２８−合流部２６−廃棄端２７といった経路構成もなされているので、第２純水生成器５Ｂの原水通路８を通過した余剰の原水は廃棄される。
［第１純水生成器５Ａに対する原水通路洗浄モード］
第１純水生成器５Ａの原水通路８を洗浄するには、図７及び図１０に示すように、１番開閉弁４ａ、３番開閉弁４ｃ、８番開閉弁４ｈ、１１番開閉弁４ｋ、４番開閉弁４ｄの５つの開閉弁を開弁させ、その他の開閉弁は全て閉弁させる。
【００４８】
このようにすることで、原水供給源ＣＷ−１番開閉弁４ａ−送水ポンプ２０−一次前処理器２２−二次前処理器２３−３番開閉弁４ｃ−（第２原水供給路１０Ｂ）−第２純水生成器５Ｂの原水通路８〜純水通路９−（第２純水取出路１５Ｂ）−８番開閉弁４ｈ−合流部３５−純水流量計３６−分配経路３７−１１番開閉弁４ｋ−（第１洗浄水供給路１１Ａ）−第１純水器５Ａの原水通路８−（第１廃棄原水取出路１６Ａ）−分岐部３０−４番開閉弁４ｄ−合流部２６−廃棄端２７といった経路構成がなされ、第２純水生成器５Ｂの第２純水取出路１５Ｂと第１純水生成器５Ａの第１洗浄水供給路１１Ａとが連通した状態とされる。
【００４９】
すなわち、第２純水生成器５Ｂを使って純水を生成させたうえで、この純水を第１純水生成器５Ａの原水通路８へ送り込む状況が整う。ここにおいて繰り返し言えば、第１純水生成器５Ａの原水通路８へは第１洗浄水供給路１１Ａを使って純水が供給されるのであって、第１原水供給路１０Ａを使って原水が原水通路８へ供給されているのではない（原水供給源ＣＷからの原水が直送されるのではない）。このような経路構成により、第１純水生成器５Ａの原水通路８を洗浄することができる。
なお、分岐部３０−第１流量計２５−合流部２６−廃棄端２７といった経路構成もなされているので、第１純水生成器５Ａの原水通路８を通過した洗浄水の流量を検出することができる。
【００５０】
また、第２純水生成器５Ｂからは、原水通路８−第２廃棄原水取出路１６Ｂ−分岐部３１−第２流量計２８−合流部２６−廃棄端２７といった経路構成もなされているので、第２純水生成器５Ｂの原水通路８を通過した余剰の原水は廃棄される。
［第１純水生成器５Ａに対する純水通路洗浄モード］
第１純水生成器５Ａの純水通路９を洗浄するには、図７及び図１１に示すように、１番開閉弁４ａ、３番開閉弁４ｃ、８番開閉弁４ｈ、１０番開閉弁４ｊ、１３番開閉弁４ｍ、４番開閉弁４ｄの６つの開閉弁を開弁させ、その他の開閉弁は全て閉弁させる。
【００５１】
このようにすることで、原水供給源ＣＷ−１番開閉弁４ａ−送水ポンプ２０−一次前処理器２２−二次前処理器２３−３番開閉弁４ｃ−（第２原水供給路１０Ｂ）−第２純水生成器５Ｂの原水通路８〜純水通路９−（第２純水取出路１５Ｂ）−８番開閉弁４ｈ−合流部３５−純水流量計３６−分配経路３７−１０番開閉弁４ｊ−（第１洗浄用純水供給路１２Ａ）−第１純水器５Ａの純水通路９−（第１廃棄純水取出路１７Ａ）−分岐部４８−１３番開閉弁４ｍ−合流部２６−廃棄端２７といった経路構成がなされ、第２純水生成器５Ｂの第２純水取出路１５Ｂと第１純水生成器５Ａの第１洗浄用純水供給路１２Ａとが連通した状態とされる。
【００５２】
すなわち、第２純水生成器５Ｂを使って純水を生成させたうえで、この純水を第１純水生成器５Ａの純水通路９へ送り込む状況が整う。このような経路構成により、第１純水生成器５Ａの純水通路９を洗浄することができる。
なお、分岐部３０−第１流量計２５−合流部２６−廃棄端２７といった経路構成もなされているので、第１純水生成器５Ａの原水通路８を通過した洗浄水の流量を検出することができる。
また、第２純水生成器５Ｂからは、原水通路８−第２廃棄原水取出路１６Ｂ−分岐部３１−第２流量計２８−合流部２６−廃棄端２７といった経路構成もなされているので、第２純水生成器５Ｂの原水通路８を通過した余剰の原水は廃棄される。
【００５３】
ところで、この洗浄モードの場合、第１純水生成器５Ａにおいて純水通路９へ供給されるのが純水であると共に、原水通路８内は、先に行った原水通路洗浄モードに伴って純水が充満した状態（純水に置換された状態）にあり、且つ純水通路９の内圧が原水通路８と同等以上にされているため、純水通路９から原水通路８へ洗浄用純水が移動するようになる。そのため、第１純水生成器５Ａの第１廃棄原水取出路１６Ａから、分岐部３０−４番開閉弁４ｄ−合流部２６−廃棄端２７といった経路構成を、併せて形成させるのが好適である。
［第２純水生成器５Ｂに対する原水通路洗浄モード］
第２純水生成器５Ｂの原水通路８を洗浄するには、図７及び図１２に示すように、１番開閉弁４ａ、２番開閉弁４ｂ、６番開閉弁４ｆ、１２番開閉弁４ｌ、５番開閉弁４ｅの５つの開閉弁を開弁させ、その他の開閉弁は全て閉弁させる。
【００５４】
このようにすることで、原水供給源ＣＷ−１番開閉弁４ａ−送水ポンプ２０−一次前処理器２２−二次前処理器２３−２番開閉弁４ｂ−（第１原水供給路１０Ａ）−第１純水生成器５Ａの原水通路８〜純水通路９−（第１純水取出路１５Ａ）−６番開閉弁４ｆ−合流部３５−純水流量計３６−分配経路３７−１２番開閉弁４ｌ−（第２洗浄水供給路１１Ｂ）−第２純水器５Ｂの原水通路８−（第２廃棄原水取出路１６Ｂ）−分岐部３１−５番開閉弁４ｅ−合流部２６−廃棄端２７といった経路構成がなされ、第１純水生成器５Ａの第１純水取出路１５Ａと第２純水生成器５Ｂの第２洗浄水供給路１１Ｂとが連通した状態とされる。
【００５５】
すなわち、第１純水生成器５Ａを使って純水を生成させたうえで、この純水を第２純水生成器５Ｂの原水通路８へ送り込む状況が整う。ここにおいて繰り返し言えば、第２純水生成器５Ｂの原水通路８へは第２洗浄水供給路１１Ｂを使って純水が供給されるのであって、第２原水供給路１０Ｂを使って原水が原水通路８へ供給されているのではない（原水供給源ＣＷからの原水が直送されるのではない）。このような経路構成により、第２純水生成器５Ｂの原水通路８を洗浄することができる。
なお、分岐部３１−第２流量計２８−合流部２６−廃棄端２７といった経路構成もなされているので、第２純水生成器５Ａの原水通路８を通過した洗浄水の流量を検出することができる。
【００５６】
また、第１純水生成器５Ａからは、原水通路８−第１廃棄原水取出路１６Ａ−分岐部３０−第１流量計２５−合流部２６−廃棄端２７といった経路構成もなされているので、第１純水生成器５Ａの原水通路８を通過した余剰の原水は廃棄される。
［第２純水生成器５Ｂに対する純水通路洗浄モード］
第２純水生成器５Ｂの純水通路９を洗浄するには、図７及び図１３に示すように、１番開閉弁４ａ、２番開閉弁４ｂ、６番開閉弁４ｆ、９番開閉弁４ｉ、１４番開閉弁４ｎ、５番開閉弁４ｅの６つの開閉弁を開弁させ、その他の開閉弁は全て閉弁させる。
【００５７】
このようにすることで、原水供給源ＣＷ−１番開閉弁４ａ−送水ポンプ２０−一次前処理器２２−二次前処理器２３−２番開閉弁４ｂ−（第１原水供給路１０Ａ）−第１純水生成器５Ａの原水通路８〜純水通路９−（第１純水取出路１５Ａ）−６番開閉弁４ｆ−合流部３５−純水流量計３６−分配経路３７−９番開閉弁４ｉ−（第２洗浄用純水供給路１２Ｂ）−第２純水器５Ｂの純水通路９−（第２廃棄純水取出路１７Ｂ）−分岐部４９−１４番開閉弁４ｎ−合流部２６−廃棄端２７といった経路構成がなされ、第１純水生成器５Ａの第１純水取出路１５Ａと第２純水生成器５Ｂの第２洗浄用純水供給路１２Ｂとが連通した状態とされる。
【００５８】
すなわち、第１純水生成器５Ａを使って純水を生成させたうえで、この純水を第２純水生成器５Ｂの純水通路９へ送り込む状況が整う。このような経路構成により、第２純水生成器５Ｂの純水通路９を洗浄することができる。
なお、分岐部３１−第２流量計２８−合流部２６−廃棄端２７といった経路構成もなされているので、第２純水生成器５Ｂの純水通路９を通過した洗浄水の流量を検出することができる。
また、第１純水生成器５Ａからは、原水通路８−第１廃棄原水取出路１６Ａ−分岐部３０−第１流量計２５−合流部２６−廃棄端２７といった経路構成もなされているので、第１純水生成器５Ａの原水通路８を通過した余剰の原水は廃棄される。
【００５９】
ところで、この洗浄モードの場合、第２純水生成器５Ｂにおいて純水通路９へ供給されるのが純水であると共に、原水通路８内は、先に行った原水通路洗浄モードに伴って純水が充満した状態（純水に置換された状態）にあり、且つ純水通路９の内圧が原水通路８と同等以上にされているため、純水通路９から原水通路８へ洗浄用純水が移動するようになる。そのため、第２純水生成器５Ｂの第２廃棄原水取出路１６Ｂから、分岐部３１−５番開閉弁４ｅ−合流部２６−廃棄端２７といった経路構成を、併せて形成させるのが好適である。
［まとめ］
上記詳説したように、この生活用水製造装置１では、第１純水生成器５Ａ又は第２純水生成器５Ｂを用いて純水の生成ができ、この純水を所望に応じて混合水栓４３や吐出栓５２から吐出させることができる。かくして、不純物を除去したピュアな純水を洗顔、洗髪等の理美容分野、医療健康分野、飲食関係、その他、生活用水利用設備全般に亘って利用することができる。
【００６０】
また、第１純水生成器５Ａ又は第２純水生成器５Ｂはそれぞれ、各種洗浄モードによって原水通路８と純水通路９とが順番に洗浄されるようになっているので、逆浸透膜７における原水通路８に向く面の洗浄（洗い流し）と、純水通路９に向く面の洗浄（不純物の詰まり解消及び洗い流し）とが行われ、常に清浄な状態（フィルターとしての高機能状態）が維持されることになる。
そのため、第１純水生成器５Ａや第２純水生成器５Ｂが具備する機能の全てを十分に活用したものとして、純水の生成ができるものであり、生成される純水として純度の高いピュア度を維持したものとできる。
【００６１】
なお、純水を生成するに際し、第１純水生成器５Ａを使用するか又は第２純水生成器５Ｂを使用するかといった判断、或いはどのタイミングで各種洗浄モードを実施するかといったことは、経路制御部６０が具備するシーケンサやコンピュータ等に対して入力するタイムスケジュールやプログラム、或いは人的なスイッチ操作に基づき、所望に設定できるものである。
ところで、本発明は、上記実施形態に限定されるものではなく、実施の形態に応じて適宜変更可能である。
【００６２】
例えば純水生成器は３個以上使用することもでき、最小使用数は２個、最大使用数は何個でも使用可能である。また廃棄端２７は各純水生成器５（５Ａ，５Ｂ）ごと、或いは廃棄原水取出路１６（１６Ａ，１６Ｂ）ごと、廃棄純水取出路（１７Ａ，１７Ｂ）ごとに、複数箇所設けてもよい。
さらに、この生活用水製造装置１は洗面化粧台２への実施が限定されるものではなく、流し台や浴室、手洗い、幼児用入浴設備、病人用治療設備、理美容分野、医療健康分野、飲食関係（炊飯や出し汁、飲料水、料理水、製氷機等）、その他、生活用水利用設備全般に亘って利用することができる。
【００６３】
また、ホテルや集合住宅、業務用理美容施設、病院、レストラン、その他、各種業務用設備等に適用する場合には、洗面台やシャンプードレッサー、流し台、浴室、手洗い等の端末設備と生活用水製造装置とは分離し、純水生成器の使用個数を増加させたり容量を増加し、ポンプも大型にして１台の生活用水製造装置により一箇所で集中して純水を製造させ、これを複数の端末設備へ分配供給させるようにしてもよい。さらに、一軒家であっても、屋外に生活用水製造装置を設置して、１箇所で純水を集中して製造させ、これを屋内の各端末設備に分配供給させるようにしてもよい。
【図面の簡単な説明】
【００６４】
【図１】本発明に係る生活用水製造装置の全体の配管図である。
【図２】純水生成器を説明した概要図である。
【図３】純水生成器の平面断面図（原水通路及び通水通路が共に常圧時）である。
【図４】純水生成器の平面断面図（原水通路が加圧された状態）である。
【図５】本発明に係る生活用水製造装置を組み込んだ洗面化粧台を示した斜視図である。
【図６】図５の洗面化粧台を示した正面透視図である。
【図７】図１の生活用水製造装置の各動作モードに基づいた各開閉弁の動作状況を示した表である。
【図８】図１の生活用水製造装置における［第１純水生成器５Ａによる純水生成モード］の経路構成を示した配管図である。
【図９】図１の生活用水製造装置における［第２純水生成器５Ｂによる純水生成モード］の経路構成を示した配管図である。
【図１０】図１の生活用水製造装置における［第１純水生成器５Ａに対する原水通路洗浄モード］の経路構成を示した配管図である。
【図１１】図１の生活用水製造装置における［第１純水生成器５Ａに対する純水通路洗浄モード］の経路構成を示した配管図である。
【図１２】図１の生活用水製造装置における［第２純水生成器５Ｂに対する原水通路洗浄モード］の経路構成を示した配管図である。
【図１３】図１の生活用水製造装置における［第２純水生成器５Ｂに対する純水通路洗浄モード］の経路構成を示した配管図である。
【符号の説明】
【００６５】
１    生活用水製造装置
３    配管システム
５    純水生成器
５Ａ    第１純水生成器
５Ｂ    第２純水生成器
６    容器
７    逆浸透膜
８    原水通路
９    純水通路
１０    原水供給路
１０Ａ    第１原水供給路
１０Ｂ    第２原水供給路
１１    洗浄水供給路
１１Ａ    第１洗浄水供給路
１１Ｂ    第２洗浄水供給路
１２    洗浄用純水供給路
１２Ａ    第１洗浄用純水供給路
１２Ｂ    第２洗浄用純水供給路
１５    純水取出路
１５Ａ    第１純水取出路
１５Ｂ    第２純水取出路
１６    廃棄原水取出路
１６Ａ    第１廃棄原水取出路
１６Ｂ    第２廃棄原水取出路
１７    廃棄純水取出路
１７Ａ    第１廃棄純水取出路
１７Ｂ    第２廃棄純水取出路
２２    一次前処理器
２３    二次前処理器
２７    廃棄端
３８    紫外線殺菌装置
４０    加熱装置
４３    混合水栓
５２    吐出栓
６０    経路制御部
ＣＷ    原水供給源
【図１】
2008073668.tif 000003
【図２】
2008073668.tif 000004
【図３】
2008073668.tif 000005
【図４】
2008073668.tif 000006
【図５】
2008073668.tif 000007
【図６】
2008073668.tif 000008
【図７】
2008073668.tif 000009
【図８】
2008073668.tif 000010
【図９】
2008073668.tif 000011
【図１０】
2008073668.tif 000012
【図１１】
2008073668.tif 000013
【図１２】
2008073668.tif 000014
【図１３】
2008073668.tif 000015